(57)【要約】【課題】  所定のシール機能を保障するには充分でありながら、シール部材のいわゆる削減を可能にする。【解決手段】  ハウジング内で軸芯部にシャフト４を貫通させる筒状に形成の基部３１とこの基部３１の外周に一体に連設されてハウジング内に二つの油室Ｒ１，Ｒ２を画成する板状に形成の本体部３２とを有してなるベーン３の端部に配在されてハウジングの内周との間におけるシール性を保障するシール部材７がベーン３の本体部３２におけるハウジングの内周に対向する端部３２ａにおける中心部に配在されながらベーン３の基部３１における開口端部３１ａに周回するように配在されてなる一方で、基部３１における軸芯線と本体部３２における軸芯線とを含んでなる切断面でシール部材７が分割されてなる。【選択図】        図３
2006017211.tif 000002
【特許請求の範囲】
【請求項１】
ハウジング内で軸芯部にシャフトを貫通させる筒状に形成の基部とこの基部の外周に一体に連設されてハウジング内に二つの油室を画成する板状に形成の本体部とを有してなるベーンと、このベーンの端部に配在されてハウジングの内周との間におけるシール性を保障するシール部材とを有してなるベーンにおけるシール構造において、シール部材がベーンの本体部であってハウジングの内周に対向する端部における中心部に配在されながらベーンの基部における開口端部において周回するように配在されてなる一方で、基部における軸芯線と本体部における軸芯線とを含んでなる切断面でシール部材が分割されてなることを特徴とするベーンにおけるシール構造
【発明の詳細な説明】
【技術分野】
【０００１】
この発明は、ベーンにおけるシール構造に関し、特に、ロータリダンパを構成するベーンにおけるシール構造の改良に関する。
【背景技術】
【０００２】
たとえば、近年の自動二輪車におけるステアリング機構にあっては、走行中における前輪の振れをロータリダンパで減衰して、自動二輪車における走行性をより安定させるとする提案がある（たとえば、特許文献１参照）。
【０００３】
すなわち、特許文献１に開示されている提案にあって、ロータリダンパは、ハウジング内に二つの油室を画成するベーンの揺動時に、たとえば、このベーンに開穿されているオリフィスを作動油が通過することで減衰力を発生させるとしている。
【０００４】
そして、ベーンにおける筒状に形成された基部の軸芯部を貫通するシャフトが、たとえば、自動二輪車における車体側に連結されると共に、ハウジングがステアリング機構を構成するステアリングシャフト側に連結されるとしている。
【０００５】
そして、このとき、いわゆる油漏れによって、設定の減衰力が発生されなくなるのを阻止するために、特に、ハウジング内で揺動するベーンの端部とこの端部が対向するハウジングの内周との間における油漏れがベーンの端部に介装されたシール部材で阻止されるとしている。
【０００６】
それゆえ、この特許文献１に開示の提案によれば、シール部材によるシール性が保障されることで、いわゆる油漏れが阻止されて、所定の減衰力が発生されることを期待し得ることになる。
【特許文献１】特開２００１−９９２０８号公報（明細書中の段落０００６，同０００９，同００２６，同０００２８，図１，図３）
【発明の開示】
【発明が解決しようとする課題】
【０００７】
しかしながら、上記した提案のロータリダンパにあっては、その作動や機能するところにおいて不具合がある訳ではないが、その汎用性の向上を期待できないと指摘される可能性がある。
【０００８】
すなわち、上記したロータリダンパにあっては、ハウジングの内周との間における油漏れを阻止するシール部材をベーンの端部に配在するにあって、シール部材における部材点数の削減を図れず、したがって、シール部材をいわゆる組み付けるにあって、手間を要すことになり、結果として、ロータリダンパにおける製品コストの低減化に寄与し得ないことになる。
【０００９】
のみならず、一般的に言って、シール部材が増えるほど、すなわち、シールする面積が増えるほど摺動性、すなわち、作動性が劣ることになるとの経験側からすれば、シール部材ができるだけ削減される方が好ましいと言い得る。
【００１０】
この発明は、上記した事情を鑑みて創案されたもので、その目的とするところは、所定のシール機能を保障するには充分でありながら、シール部材のいわゆる削減を可能にして、その汎用性の向上を期待するのに最適となるベーンにおけるシール構造を提供することである。
【課題を解決するための手段】
【００１１】
上記した目的を達成するために、この発明によるベーンにおけるシール構造の構成を、ハウジング内で軸芯部にシャフトを貫通させる筒状に形成の基部とこの基部の外周に一体に連設されてハウジング内に二つの油室を画成する板状に形成の本体部とを有してなるベーンと、このベーンの端部に配在されてハウジングの内周との間におけるシール性を保障するシール部材とを有してなるベーンにおけるシール構造において、シール部材がベーンの本体部であってハウジングの内周に対向する端部における中心部に配在されながらベーンの基部における開口端部において周回するように配在されてなる一方で、基部における軸芯線と本体部における軸芯線とを含んでなる切断面でシール部材が分割されてなるとする。
【発明の効果】
【００１２】
それゆえ、請求項１の発明にあっては、ベーンにおける本体部の端部に配在されるシール部材とベーンにおける基部の開口端部に配在されるシール部材とが一体とされるので、それぞれが別体とされる場合に比較して、部材点数の削減を可能にし得る。
【００１３】
そして、本体部におけるシール部材と基部におけるシール部材とが一体とされるので、それぞれが別体とされる場合に比較して、いわゆる分離部分での油漏れを危惧しなくて済む。
【００１４】
また、本体部におけるシール部材と基部におけるシール部材とが一体とされるので、それぞれが別体とされる場合に比較して、シール部材を組み付ける際の手間が省ける。
【００１５】
一方、シール部材がベーンの基部における軸芯線と本体部における軸芯線とを含んでなる切断面で分割されてなるから、いわゆる左右を同一に形成し得ることになり、その限りにおいて、部材点数の削減を可能にし得ることになる。
【００１６】
のみならず、シール部材は、いわゆる中央で半截されるから、ベーンの端部に介在されるとき、上記の切断面を境にする一方側にのみ配在されることでも、所定のシール機能を発揮し得ることになる。
【００１７】
その結果、この発明によれば、ロータリダンパにおいて、所定のシール機能を保障するには充分でありながら、シール部材のいわゆる削減を可能にして、その汎用性の向上を期待するのに最適となる。
【発明を実施するための最良の形態】
【００１８】
以下に、図示した実施形態に基づいて、この発明を説明するが、この発明を具現化したロータリダンパは、前記した特許文献１に開示のロータリダンパと同様に、たとえば、自動二輪車の前輪側におけるステアリング機構にいわば補助的に配在されるもので、ハウジングがステアリング機構を構成するステアリングシャフト側に連結される共に、このハウジングから突出するシャフトが車体側に連結されて、ステアリングシャフトの回動をいわゆるエネルギー吸収で制御するとしている。
【００１９】
すなわち、この発明によるロータリダンパは、図１および図２に示すように、ケース１（図１参照）およびキャップ２からなるハウジング内に二つの油室Ｒ１，Ｒ２（図１参照）を画成するベーン３を有してなり、図示するところでは、このベーン３の揺動時にこのベーン３に開穿されているオリフィス３ａを作動油が通過することで、所定の減衰力が発生されるとしている。
【００２０】
ちなみに、減衰力を発生させる構成については、上記したオリフィス３ａの利用に代えて、図示しないが、このオリフィス３ａの形成を省略する一方で、たとえば、図１中に仮想線図で示すように、左右の油室Ｒ１，Ｒ１を連通するバイパス路Ｌをキャップ２（あるいは、ケース１）に形成し、図示しないが、このバイパス路Ｌ中に適宜の構成の減衰バルブを設け、この減衰バルブによって、減衰力を発生させるように設定するとしても良く、このとき、減衰バルブが発生減衰力を高低調整し得るように設定されてなるとしても良い。
【００２１】
一方、このロータリダンパにあっては、ベーン３に一体的に連結されるシャフト４を有してなり、このシャフト４の図２中での下端側がブッシュ５およびシール６の配在下にハウジングを構成するキャップ２を貫通して外部に突出するとしている。
【００２２】
そして、図示しないが、このシャフト４の突出端が、前記したように、自動二輪車における車体側に連結されるとしている。
【００２３】
ところで、上記のベーン３は、この種のベーンが多くの場合にそうであるように、筒状に形成された基部３１と、この基部３１の外周に連設された板状に形成の本体部３２とを有してなり、上記の基部３１の軸芯部に上記したシャフト４の図２中での上端側となる基端側が貫通し、スプライン構造下などに一体的に連結されるとしている。
【００２４】
そして、このベーン３は、その外周がハウジングの内周に摺接するシール部材７を有していて、このシール部材７によってベーン３とハウジングとの間におけるシール性を保障する、すなわち、油漏れを阻止するとしている。
【００２５】
そして、このとき、シール部材７は、ベーン３の本体部３２であってハウジングの内周に対向する端部３２ａにおける中心部に配在されながらベーン３の基部３１における開口端部３１ａにおいて周回するように配在されてなると共に、基部３１における軸芯線と本体部３２における軸芯線とを含んでなる切断面（図示せず）で分割されてなる、すなわち、図３に示すように、縦割りされてなるとしている。
【００２６】
このとき、シール部材７は、多くの場合にそうであるように、ゴム材，プラスチック材あるいは金属材などからなるが、上記した縦割りされてなることを勘案すると、ゴム材あるいはプラスチック材からなる場合には、硬度が選択されるなどいわゆる設計変更が適宜になされるであろう。
【００２７】
また、このシール部材７をベーン３の端部、すなわち、基部３１の開口端部３１ａおよび本体部３２の端部３２ａに配在するについては、各端部３１ａ，３２ａに、図示しないが、凹溝を形成し、この凹溝内にシール部材７を収装するとしている。
【００２８】
このとき、シール部材７は、いわゆる締め代を有するであろうから、ハウジング内に収装された状態で、いわゆる作動中にもこの凹溝から脱落する危惧はなく、所定のシール機能を発揮するであろう。
【００２９】
そして、このシール部材７を製作するについては、多くの場合に型を利用した型成形とされるであろうが、この場合に、このシール部材７が中央で縦割りされてなることからすれば、いわゆる一つの型を用意すれば足り、いわゆる部品製作におけるコストのいたずらな高騰化を回避できることになる。
【００３０】
また、このシール部材７を有するベーン３にあっては、ベーン３における本体部３２の端部３２ａに配在されるシール部材とベーン３における基部３１の開口端部３１ａに配在されるシール部材とが一体とされるので、それぞれが別体とされる場合に比較して、部材点数の削減を可能にし得ることになる。
【００３１】
さらに、本体部３２におけるシール部材と基部３１におけるシール部材とが一体とされるので、それぞれが別体とされる場合に比較して、いわゆる分離部分を発現させなくて済むと共に、この分離部分での油漏れを危惧しなくて済むことになる。
【００３２】
またさらに、本体部３２におけるシール部材と基部３１におけるシール部材とが一体とされるので、それぞれが別体とされる場合に比較して、シール部材７を組み付ける際の手間が省けることになる。
【００３３】
一方、シール部材７がベーン３の基部３１における軸芯線と本体部３２における軸芯線とを含んでなる切断面で分割されてなるから、いわゆる左右を同一に形成し得ることになり、その限りにおいて、部材点数の削減を可能にし得ることになる。
【００３４】
のみならず、シール部材７は、いわゆる中央で半截されるから、ベーン３の端部に介在されるとき、図４に示すように、上記の切断面を境にする一方側にのみ配在されることでも、所定のシール機能を発揮し得ることになる。
【００３５】
また、このとき、シール部材７にあって、基部３１における開口端部３１ａに位置決められるいわゆる端部が、図４中に実線図で示すように、いわゆる中央まで延長されるのに代えて、同じく図４中に仮想線図で示すように、中央まで延長されずしていわゆる途中で止まるように設定されてなるとしても良く、この場合には、シール部材７を形成する際のいわゆる材料の歩留まりを良くし得ることになる。
【００３６】
その結果、この発明によれば、ロータリダンパにおいて、所定のシール機能を保障するには充分でありながら、シール部材７のいわゆる削減を可能にして、このシール部材７を有するベーン３を備えた状態で、その汎用性の向上を期待することが可能になる。
【００３７】
前記したところでは、ロータリダンパを構成するハウジングがステアリング機構を構成するアンダーブラケットあるいはアッパーブラケットに連結されるとするが、このハウジングは、各ブラケットに附設されるのではなく、直接各ブラケットにいわゆる組込状態に一体に形成されてなるとしても良い。
【００３８】
そして、前記したところでは、ロータリダンパにおけるシャフト４が自動二輪車における車体側に連繋されるとしたが、このときの車体側としては、たとえば、車体フレームあるいはヘッドパイプが候補とされるのが良い。
【００３９】
また、前記したところは、この発明によるロータリダンパが自動二輪車におけるステアリング機構に附設されてなる場合を実施形態としたが、この発明に意図するところからすれば、この発明によるロータリダンパが自転車におけるステアリング機構に具現化されるとしても良い。
【図面の簡単な説明】
【００４０】
【図１】この発明によるロータリダンパの内部状態を横断面で示す図である。
【図２】図１のロータリダンパの内部状態を縦断面で示す図である。
【図３】図１のロータリダンパにおけるベーンに介装されるシール部材のみを示す斜視図である。
【図４】他の実施形態のベーンを有するロータリダンパを図１と同様に示す図である。
【符号の説明】
【００４１】
１  ハウジングを構成するケース
２  ハウジングたるキャップ
３  ベーン
４  シャフト
７  シール部材
３１  基部
３１ａ  開口端部
３２  本体部
３２ａ  端部
Ｒ１，Ｒ２  油室
【図１】
2006017211.tif 000003
【図２】
2006017211.tif 000004
【図３】
2006017211.tif 000005
【図４】
2006017211.tif 000006